(57)【要約】【課題】画像データから人物画像データを抽出してプリントする処理を容易にし、かつ撮像やプリントを行う様々な電子機器に対応させる。【解決手段】プリントシステム１０は、デジタルカメラ１１、写真プリンタ１２、メモリカード１３からなる。デジタルカメラ１１は被写体を撮像した撮像画像データと、画像全体に対する人物画像の位置及び大きさを示す人物座標情報をメモリカード１３に記憶する。写真プリンタ１２は、メモリカード１３から人物座標情報を画像データとともに読み出し、人物座標情報に基づいて、画像範囲に対する所定の位置及び大きさとなるように人物画像データを拡大縮小及び変位して補正した補正画像データをプリント出力する。【選択図】        図１
2004207987.tif 000002
【特許請求の範囲】
【請求項１】
被写体、又は画像原稿を撮像して画像データを電子記憶媒体に記憶するデジタル撮像装置と、このデジタル撮像装置によって記憶された画像データを電子記憶媒体から読み出して記録媒体に画像をプリント出力するプリンタとからなるプリントシステムにおいて、
前記デジタル撮像装置は、画像データから人物の顔を含む人物画像データを抽出する人物画像抽出手段と、この人物画像抽出手段が抽出した前記人物画像データに基づいて画像全体に対する人物画像の位置及び大きさを示す人物座標情報を検出する人物座標検出手段と、前記人物座標情報を含む各種情報を前記電子記憶媒体に出力する情報出力部とが設けられており、前記プリンタは、前記電子記憶媒体から前記人物座標情報を前記画像データとともに読み出し、人物座標情報に基づいて、画像範囲に対する所定の位置及び大きさとなるように前記人物画像データを拡大縮小及び変位して補正した補正画像データをプリント出力することを特徴とするプリントシステム。
【請求項２】
前記補正画像データは、もとの画像とは異なる背景画像又はテンプレートに対する所定の位置及び大きさに人物画像データを補正し、前記背景画像又はテンプレートと合成していることを特徴とする請求項１記載のプリントシステム。
【請求項３】
被写体、又は画像原稿が撮像された画像データから人物の顔を含む人物画像データを抽出し、この人物画像データに基づいて画像全体に対する人物画像の位置及び大きさを示す人物座標情報を検出して、前記画像データとともに、前記人物座標情報を電子記憶媒体に記憶させた後、前記画像データを読み出すとき、前記人物座標情報に基づいて前記人物画像データの位置及び大きさを画像全体に対する所定の位置及び大きさに補正した補正画像データを作成する画像処理方法。
【発明の詳細な説明】
【０００１】
【発明の属する技術分野】
本発明は、デジタルカメラやスキャナなどで撮像して出力された画像データから人物画像を抽出する画像処理方法と、この画像処理方法を用いたプリントシステムに関するものである。
【０００２】
【従来の技術】
従来、スナップ写真や、記念写真など、カメラで撮像する画像の多くは、その主要な被写体が人物であり、例えば、風景や建造物等と一緒に撮像した場合でも、被写体の中で最も注目を集めるのは人物の画像であり、さらに人物の画像の中でも顔が最も重要な位置にあることが多い。このため、カメラによって撮像を行う際には、人物を画像の中心など、特定の目立つ部分に配置するようにフレーミングして撮像を行うことが考えられるが、ユーザーが高度な写真技術を持たない場合や、大量の撮像を行うときには、このような配慮をしながら撮像をすることは非常に困難である。
【０００３】
そこで、例えば、特許文献１では、画像をＣＣＤなどの固体撮像素子によって読み取って画像データとして出力し、この画像データから人物の顔の大きさや位置が、適正な範囲内に収まるようにしてプリントする画像処理方法が用いられており、これによって、カメラで撮像を行うときに人物の位置が多少ずれても補正してプリントすることが可能となっている。この特許文献１に示す画像処理方法では、コンピュータの表示装置などに画像データを表示し、この表示された画像データを見ながら入力された２つの位置に基づいて、コンピュータが顔の拡大縮小率などを求めている。
【０００４】
また、特許文献２では、画像データに基づいて人物画像を抽出し、所定のレイアウトに従って編集してレイアウト画像データを得る画像処理方法をコンピュータに実行させている。さらにまた、特許文献３にも、特許文献２と同様に画像データから人物画像を抽出する画像処理方法が記載されている。
【０００５】
【特許文献１】
特開平１１−３４１２７２号公報
【特許文献２】
特開２０００−１６５６４８号公報
【特許文献３】
特開平９−８０６５２号公報
【０００６】
【発明が解決しようとする課題】
しかしながら、上記特許文献１記載の画像処理方法では、使用者が画像データ毎に画面を見ながら入力しなければならないので、大量の画像データを処理するときには非常に手間がかかってしまう。さらに、特許文献２及び３は、被写体又は画像原稿を撮像して画像データを出力し、この画像データから人物画像データを抽出してプリント出力するまでを、１つの装置で行うように考慮されたものである。よって、画像データの出力には、デジタルカメラやスキャナなど、そしてプリント出力には、サーマルプリンタやインクジェットプリンタなど、被写体や用途に応じて、撮像やプリントに用いる電子機器を使い分けて用いることについては考慮されていない。また、近年では、撮像した画像データをそのままプリント出力するだけではなく、テンプレートと言われる枠組みや、背景画像などと合成した合成画像をプリントする需要も増えてきており、このような合成画像を手軽にプリント出力することも望まれている。
【０００７】
本発明は、上記問題点を考慮してなされたものであり、画像データから人物画像データを抽出し、プリント出力することを容易に行うことができるとともに、撮像やプリントを行う様々な電子機器に対応することが可能であり、さらにテンプレート画像や、様々な背景画像との合成画像をプリント出力することも可能な画像処理方法及びプリントシステムを提供することを目的とする。
【０００８】
【課題を解決するための手段】
上記課題を解決するために、請求項１記載のプリントシステムは、被写体、又は画像原稿を撮像して画像データを電子記憶媒体に記憶するデジタル撮像装置と、このデジタル撮像装置によって記憶された画像データを電子記憶媒体から読み出して記録媒体に画像をプリント出力するプリンタとからなるプリントシステムにおいて、前記デジタル撮像装置は、画像データから人物の顔を含む人物画像データを抽出する人物画像抽出手段と、この人物画像抽出手段が抽出した前記人物画像データに基づいて画像全体に対する人物画像の位置及び大きさを示す人物座標情報を検出する人物座標検出手段と、前記人物座標情報を含む各種情報を前記電子記憶媒体に出力する情報出力部とが設けられており、前記プリンタは、前記電子記憶媒体から前記人物座標情報を前記画像データとともに読み出し、人物座標情報に基づいて、画像範囲に対する所定の位置及び大きさとなるように前記人物画像データを拡大縮小及び変位して補正した補正画像データをプリント出力している。
【０００９】
また、請求項２記載のプリントシステムでは、補正画像データは、もとの画像とは異なる背景画像又はテンプレートに対する所定の位置及び大きさに人物画像データを補正し、前記背景画像又はテンプレートと合成している。
【００１０】
請求項３記載の画像処理方法では、被写体、又は画像原稿が撮像された画像データから人物の顔を含む人物画像データを抽出し、この人物画像データに基づいて画像全体に対する人物画像の位置及び大きさを示す人物座標情報を検出して、前記画像データとともに、前記人物座標情報を電子記憶媒体に記憶させた後、前記画像データを読み出すとき、前記人物座標情報に基づいて前記人物画像データの位置及び大きさを画像全体に対する所定の位置及び大きさに補正した補正画像データを作成している。
【００１１】
【発明の実施の形態】
図１は、本発明に係るプリントシステムの構成を示す概略図である。プリントシステム１０は、デジタルカメラ１１、写真プリンタ１２、メモリカード１３から構成されている。プリントシステム１０は、デジタルカメラ１１で撮像した被写体画像をメモリカード１３にデジタルの撮像画像データとして記憶させる。メモリカード１３に記憶された撮像画像データは、写真プリンタ１２で記録紙１４にプリントされて写真プリント１５が得られる。なお、メモリカード１３としては、スマートメディア（登録商標）を使用している。
【００１２】
デジタルカメラ１１のカメラボディ１６の前面には、撮像レンズ１７を保持した鏡筒１８が、背面には、ＬＣＤパネル１９（図２参照）、各種操作ボタンなどが、上面には、レリーズボタン２０が設けられている。さらに、このカメラボディ２の側面には、メモリスロット２１の開閉蓋２２が設けられており、開閉蓋２２を開放状態とすると、メモリスロット２１にメモリカード１３を装着可能となる。
【００１３】
図２は、デジタルカメラ１１の電気的構成を示す。このデジタルカメラ１１は、撮像レンズ１７、ＣＣＤイメージセンサ２６、Ａ／Ｄ変換回路２７、ＡＷＢ（ホワイトバランス）補正回路２８、リニアマトリクス回路２９、γ変換回路３０、ＹＣｒＣｂ変換及び同時化処理回路３１、色差マトリクス回路３２、圧縮回路３３、人物画像抽出回路３４、人物座標検出回路３５、情報出力部３６などからなる。そして、デジタルカメラ１１には、システムコントローラ４１が設けられており、このシステムコントローラ４１が操作部４２からの入力に基づいて各種回路を全体的に制御する。操作部４２は、レリーズボタン２０，各種操作ボタンなどの操作に応じた操作信号をシステムコントローラ４１に送る。これらの操作信号に基づいて、システムコントローラ４１は、各部を制御して撮像のためのシーケンスを実行する。
【００１４】
ＣＣＤイメージセンサ２６は、周知のようにマトリクス状に配列された多数の受光素子からなり、撮像レンズ１７を通して入射された光学的な被写体画像を電気的な撮像信号に変換して出力する。ＣＣＤイメージセンサ２６から出力された撮像画像データは、Ａ／Ｄ変換回路２７によってデジタルデータに変換されて、ＡＷＢ補正回路２８に送信される。
【００１５】
デジタル変換された撮像画像データは、ＡＷＢ補正回路２８によってホワイトバランスが補正され、さらにリニアマトリクス回路２９でリニアマトリクス変換式に基づいて色補正係数が補正され、その次にγ変換回路３０によりγ補正された撮像画像データ（ＲＧＢデータ）は、ＹＣｒＣｂ変換及び同時化処理回路３１により、ＲＧＢ→ＹＣｒＣｂ変換式（ＩＴＵ−Ｒ  ＢＴ．Ｒｅｃ６０１準拠）に基づいてＹＣｒＣｂデータに変換され、さらにＹＣｒＣｂの各信号について同時化処理が行われる。
【００１６】
ＹＣｒＣｂ変換及び同時化処理回路３１から出力された撮像画像データ（ＹＣｒＣｂデータ）は、色差マトリクス回路３２、及び人物画像抽出回路３４に出力される。色差マトリクス回路３２では、色差マトリクス変換式に基づいて撮像画像データの色補正係数が再補正される。圧縮回路３３は、色差マトリクス回路３２により色補正係数が補正された撮像画像データを圧縮する。圧縮回路３３にはメディアＩ／Ｆ（インターフェース）４５が接続されており、メディアＩ／Ｆ４５は、メモリスロット２１に装着されているメモリカード１３のデータの入出力を制御する。そして、圧縮回路３３により圧縮された撮像画像データは、メディアＩ／Ｆ４５によってメモリカード１３へ記憶される。なお、撮像画像データを圧縮する形式としては、例えばＪＰＥＧ形式などが用いられている。
【００１７】
一方、ＹＣｒＣｂ変換及び同時化処理回路３１から出力された画像データ（ＹＣｒＣｂデータ）は、人物画像抽出回路３４によって、画像データ５０（図３参照）の全体から、人物の画像に相当する人物画像データ５０ａを抽出する。人物画像データ５０ａを抽出する方法としては、例えば特開２０００−１６５６４８号公報に示すような、エッジ検出、２値化、パターンマッチングなどの画像処理を行う、そして人物画像抽出回路３４によって抽出された人物画像データ５０ａは、人物座標検出回路３５に出力される。
【００１８】
人物座標出力回路３５は、図３（Ａ）に示すように、人物画像データ５０ａから、人物画像の顔の中心位置の座標（ｘ，ｙ）を求めるとともに、人物画像の顔の縦方向の大きさｖ及び横方向の大きさｈを求める。そして、人物座標出力回路３５によって求められたこれら人物画像の顔の中心位置（ｘ，ｙ）、及び大きさ（ｖ，ｈ）からなる人物座標情報は、情報出力部３６へ送られる。
【００１９】
情報出力部３６では、上述した人物座標情報を、後述するＥｘｉｆフォーマットに合わせたデータ形式にして出力する。情報出力部３６から出力された人物座標情報は、メディアＩ／Ｆ４５に送られ、画像データとともにメモリカード１３に記憶される。また、情報出力部３６には、撮影日付、シャッタ速度、絞り値、などの情報が被写体を撮像した１フレーム分の各画像毎にシステムコントローラ４１から送信されてくる。そして、情報出力部３６では、これら各種情報についても人物座標情報と同様に、メディアＩ／Ｆ４５に出力し、画像データとともにメモリカード１３に記憶する。
【００２０】
なお、システムコントローラ４１には、ＬＣＤドライバ５５も接続されている。ＬＣＤドライバ５５には、色差マトリクス回路３２から画像処理済みの画像データが送られてくる。これにより、ＬＣＤパネル１９には撮像中の被写体画像が動画としてスルー表示され、ビューファインダとして使用することができる。
【００２１】
メモリカード１３は、高速でアクセスが可能なＤＲＡＭ（Dynamic RAM ）から構成されている。デジタルカメラ１１で撮像された撮像画像データは、図４に示すようなファイル構造で記録されており、デジタルカメラ１１で撮像された撮像画像データ及びその各種情報データが撮像画像ファイルとして記録される。これら撮像画像ファイル１〜ｎはすべて撮像画像フォルダにまとめて格納される。各撮像画像ファイルは、例えば電子情報技術産業協会（ＪＥＩＤＡ）から発表された規格であるＥｘｉｆフォーマットで記録される。
【００２２】
Ｅｘｉｆフォーマットは、撮像画像データに加えてＥｘｉｆ  Ｔａｇデータが付加されたものである。撮像画像データは、上述したようにＪＰＥＧ形式で記録されるが、撮像画像データの形式としては、このＪＰＥＧ形式の他に、撮像画像データとこのデータのファイル内の格納位置などを示す情報を記録するＴａｇとからなるＴｉｆｆ（Ｔａｇｅｄ  Ｉｍａｇｅ  Ｆｉｌｅ  Ｆｏｒｍａｔ）形式を使用してもよい。さらに、Ｅｘｉｆフォーマットには、インデックス表示等に使用するためのサムネイル画像データを含めることもできる。
【００２３】
Ｅｘｉｆ  Ｔａｇデータには、情報出力部３６で作成された人物座標情報を含む各種情報データが書き込まれる。このＥｘｉｆ  Ｔａｇデータには、撮像日付、シャッタ速度、絞り値、露光量、レンズＦ値、焦点距離、ストロボ発光の有無などのＥｘｉｆフォーマット規格に沿ったＥｘｉｆ固有情報と、Ｍａｋｅｒ  Ｎｏｔｅ  Ｔａｇデータとが含まれる。Ｍａｋｅｒ  Ｎｏｔｅ  Ｔａｇデータとは、各カメラメーカーが自由にメーカー固有の情報を設定できるエリアであり、このエリアには、例えば撮像に使用した機種データなどが記録される。なお、撮像画像ファイルの形式はＥｘｉｆフォーマットに限るものではない。
【００２４】
本実施形態においては、Ｍａｋｅｒ  Ｎｏｔｅ  Ｔａｇに人物座標情報が書き込まれる。また、これら人物座標情報の他に、Ｍａｋｅｒ  Ｎｏｔｅ  Ｔａｇには、画質モード、撮像時シャープネス強度、ホワイトバランスモードなどの情報が書き込まれる。
【００２５】
撮像画像ファイルとして撮像画像データが記録されたメモリカード１３は、写真プリンタ１２のメモリスロット６１に装着されて、記録紙１４に画像が記録される。写真プリンタ１２の前面には、メモリスロット６１の他にカセット装填口６２が、上面には、モード切替ボタン６３ａを含む各種操作ボタン６３が配置された操作パネル６４が設けられている。モード切替ボタン６３ａは、通常モード、及び人物画像プリントモードのいずれかのモードに切り替えてプリントを実行するときに操作するものである。カセット装填口６２には、給紙カセット６５が着脱自在にセットされる。給紙カセット６５には、予め決められたサイズの記録紙１４が複数枚収納される。この給紙カセット６５から写真プリンタ１２の内部にへ記録紙１４が引き出され、撮像画像が記録される。記録紙１４に撮像画像が記録された写真プリント１５は、給紙カセット６５の上面に排紙される。
【００２６】
図５に写真プリンタ１２の電気的構成を示す。写真プリンタ１２は、メディアＩ／Ｆ６７、画像データ解凍回路６８、ＹＣｒＣｂマトリクス補正回路６９、ＬＵＴ補正回路７０、ＹＭＣ変換回路７１、プリンタオートセットアップ係数決定部７２、プリントエンジン７３などを備えている。メディアＩ／Ｆ６７はメモリスロット６１に装着されたメモリカード１３にアクセスしてデータの読み取り及び書き込みを行う。
【００２７】
画像データ解凍回路６８は、メモリカード１３に記憶された撮像画像ファイルをメディアＩ／Ｆ６７を介して読み込み、デジタルカメラ１１の圧縮回路３３で圧縮された撮像画像ファイル（撮像画像データ及び各種情報データを含む）を解凍する。解凍された撮像画像ファイルは、プリンタオートセットアップ係数決定部７２に送られるとともに、撮像画像データがＹＣｒＣｂマトリクス補正回路６９へ送られる。
【００２８】
解凍された撮像画像データは、ＹＣｒＣｂマトリクス補正回路６９により色補正係数が補正され、ＬＵＴ（ルックアップテーブル）補正回路７０に送られる。
ＬＵＴ補正回路は、撮像画像データのうち特定部分の位置を変位させたり、大きさを拡大縮小したり、また特定部分の色を変更するように撮像画像データを補正する。そして、ＬＵＴ補正回路７０によって補正された撮像画像データは、ＹＭＣ変換回路７１へ送られ、ＹＭＣデータに変換される。ＹＭＣ変換回路７１からＹＭＣデータとなった撮像画像データが送られたプリントエンジン７３は、この撮像画像データに基づいて記録紙１４に画像をプリントする。画像のプリントが終わった記録紙１４は、写真プリント１５として排紙口１２ｂから排出される。
【００２９】
画像データ解凍回路６８、ＹＣｒＣｂマトリクス補正回路６９、ＬＵＴ補正回路７０には、プリントオートセットアップ係数決定部７２が接続されている。プリントオートセットアップ係数決定部７２は、画像データ解凍回路６８により解凍された撮像画像データを解析するとともに、人物座標情報を含む各種情報データから、ＬＵＴ補正回路７０による補正内容を表す補正情報を設定する。
【００３０】
本実施形態においては、モード切替ボタン６３ａによって、人物画像プリントモードが選択されているときには、プリントオートセットアップ係数決定部７２で設定する補正情報は、上述した人物座標情報に基づいて、人物画像データ５０ａを所定の位置及び大きさとするように拡大縮小及び変位して補正するための補正係数であり、この補正係数が、ＬＵＴ補正回路７０で使用するＬＵＴに入力される。そしてＬＵＴ補正回路７０では、この補正係数を用いたＬＵＴで、人物画像データ５０ａを拡大縮小、及び変位させるように補正を行う。このような特定部分の拡大縮小、及び変位を行うための補正は、例えば周知のアフィン変換の式を用いて行う。なお、アフィン変換の式は、特開２０００−１６５６４８号公報に詳しく記載されている。
【００３１】
そして、もとの撮像画像データ５０が図３（Ａ）で示す状態だったものが、ＬＵＴ補正回路７０によって補正され、図３（Ｂ）に示すように、人物画像データａの中心位置（ｘ，ｙ）が画像範囲７５の中心位置（ｘ０，ｙ０）となるように変位し、顔の大きさ（ｖ，ｈ）が画像範囲７５に対する所定の大きさ（ｖ´，ｈ´）に補正された補正画像データ７６になる。なお、この画像範囲７０に対する所定の大きさ（ｖ´，ｈ´）としては、例えば、画像範囲７０の横の長さをＬ、縦の長さをＭとすると、ｖ´＝ａＬ，ｈ´＝ｂＭ（ａ，ｂは０〜１の係数）となるように設定すればよい。なお、モード選択で、通常モードが選択されたときには、このような補正は行われず、人物画像データ５０ａの位置及び大きさは、もとの撮像画像データ５０のままである。
【００３２】
次に上記構成の作用について以下に説明する。先ず、デジタルカメラ１１によって撮像を行うと、上述したように複数の撮像画像ファイルからなる撮像画像フォルダがメモリカード１３に記憶され、さらにそれぞれの撮像画像ファイルには、撮像画像データと、人物座標情報を含む各種情報データが保存される。
【００３３】
そして撮像が終了したデジタルカメラ１１のメモリスロット２１からメモリカード１３を抜き取って、メモリカード１３を写真プリンタ１２のメモリスロット６１にセットする。写真プリンタ１２によるプリントが行われるときのプロセスを図６に示すフローチャートを用いて説明する。メモリスロット６１にメモリカード１３がセットされ、モード切替ボタン６３ａを操作してプリントモードの切り替えを行った後、操作ボタン６３を押操作してプリント開始を指示する。人物画像プリントモードが選択されたときには、１枚ずつの撮像画像データとともに、人物座標情報を含む各種情報データが読み込まれる。そして、人物座標情報に基づいて、人物画像データ５０ａが画像範囲７５に対する所定の位置及び大きさとなるように補正された補正画像データ７６が作成される。そしてこの補正画像データ７６がプリントされ、写真プリント１５が得られる。そして、この作業を１枚の撮像画像ファイルごとに繰り返していき、全ての撮像画像データについてのプリント処理が終了する。一方、通常モードが選択されたときには、補正画像データ７６の作成が行われず、もとの撮像画像データ５０のまま、プリントが行われる。
【００３４】
このようにして、人物画像データ５０ａの位置と大きさを補正した補正画像データ７６がプリントされた写真プリント１５を容易に得ることができる。しかも、画像データを得るデジタル撮像装置としては、１つのデジタルカメラ１１に限定されるものではなく、同様の構成とした他のデジタルカメラで、撮像画像データとともに人物座標情報をメモリカード１３に記憶させれば、そのメモリカード１３を使用して、同様に補正画像データ７６のプリント出力を行うことが可能である。
【００３５】
なお、上記第１の実施形態では、人物画像データの位置及び大きさを、画像範囲に対する所定の位置及び大きさとなるように補正した補正画像データを作成しているが、本発明はこれに限るものではなく、人物画像データの位置及び大きさを補正した補正画像データと、テンプレート画像と合成した合成画像データを作成してもよい。以下に示す本発明の第２の実施形態では、デジタル撮像装置で撮像した撮像データから、人物画像データの位置及び大きさを補正し、尚且つテンプレート画像と合成した合成画像データをプリントする画像処理方法及びプリントシステムについて説明する。なお、上記第１の実施形態で説明した部品及び部材については同符号を用いて説明を省略する。
【００３６】
図７は、本実施形態に係るプリントシステムを構成する写真プリンタ８１の電気的構成を示すブロック図である。なお、本実施形態のプリントシステムも、デジタルカメラ、メモリカード及び写真プリンタからなる構成であり、デジタルカメラ及びメモリカードについては上記第１の実施形態と同様の構成である。写真プリンタ８１には、画像設定部８２、及び画像合成部８３が設けられている。
【００３７】
画像設定部８２は、テンプレート画像が保存されており、プリンタオートセットアップ係数決定部７２、及び画像合成部８３に接続されている。画像合成部８３は、ＬＵＴ補正回路７０とＹＭＣ変換回路７１の間に接続されている。なお、本実施形態では、テンプレートとは、単にレイアウト用の枠組みを示すものではなく、キャラクタの絵柄等も含む装飾枠全般を指すものとする。また、テンプレートは、多数の画像が画像設定部８２に保存され、写真プリンタ８１の操作部を操作していずれか１つを選択する設定にするとよい。
【００３８】
本実施形態の作用について以下に説明する。写真プリンタ８１によるプリントが行われるときのプロセスを図８に示すフローチャート、及び図９に示す説明図を用いて説明する。メモリスロット６１にメモリカード１３がセットされ、モード切替ボタン６３ａを操作してプリントモードの切り替えを行った後、操作ボタン６３を操作してユーザーは複数のテンプレート画像の中から任意の１つを選択する。次にテンプレート画像を選択した後、プリント開始を指示する。人物画像プリントモードが選択されたときには、１枚ずつの撮像画像データ８５（図９参照）とともに、人物座標情報を含む各種情報データが読み込まれる。また、同時にプリンタオートセットアップ係数決定部７２には、ユーザーが選択したテンプレート画像８６（図９参照）が読み込まれる。
【００３９】
プリンタオートセットアップ係数決定部７２は、人物座標情報及びテンプレート画像８６に基づいて、人物画像データ８５ａがテンプレート画像８６に対する所定の位置及び大きさとなるように補正された補正画像データを作成する。さらにこの補正画像データが画像合成部８３でテンプレート画像８６と合成され、合成画像データ８７が作成される。なお、人物画像データ８５ａの位置及び大きさを補正するときには、テンプレート画像８６の中心に顔の中心位置を変位させ、顔の大きさをテンプレートの内側に収まる大きさに拡大縮小するとよい。
【００４０】
そして、この合成画像データ８７がプリントされ、写真プリント１５が得られる。そして、この作業を１枚の撮像画像ファイルごとに繰り返していき、全ての撮像画像データについてのプリント処理が終了する。一方、通常モードが選択されたときには、合成画像データ８７の作成が行われず、もとの撮像画像データ８５のまま、プリントが行われる。
【００４１】
なお、上記第２の実施形態では、人物画像データの位置及び大きさを補正した補正画像データと、テンプレート画像と合成した合成画像データを作成しているが、本発明はこれに限らず、もとの撮像画像データとは異なる背景画像データと合成した合成画像データを作成してもよい。以下に示す本発明の第２の実施形態では、デジタル撮像装置で撮像した撮像データから、もとの撮像画像データとは異なる背景画像と合成した合成画像データをプリントする画像処理方法及びプリントシステムについて説明する。なお、本実施形態に係るプリントシステムの構成としては、上記第２の実施形態と同様の構成であるが、画像設定部８２には、テンプレート画像ではなく、多数の背景画像が保存されている。
【００４２】
本実施形態の作用について以下に説明する。写真プリンタ８１によるプリントが行われるときのプロセスを図１０に示すフローチャート、及び図１１に示す説明図を用いて説明する。メモリスロット６１にメモリカード１３がセットされ、モード切替ボタン６３ａを操作してプリントモードの切り替えを行った後、操作ボタン６３を操作してユーザーは複数の背景画像の中から任意の１つを選択する。次に背景画像を選択した後、プリント開始を指示すると、１枚ずつの撮像画像データ９５（図１１参照）とともに、人物座標情報を含む各種情報データが読み込まれる。また、同時にプリンタオートセットアップ係数決定部７２には、ユーザーが選択した背景画像が読み込まれる。
【００４３】
プリンタオートセットアップ係数決定部７２は、人物座標情報及び背景画像９６に基づいて、人物画像データ９５ａが背景画像に対する所定の位置及び大きさとなるように補正された補正画像データを作成する。さらにこの補正画像データが画像合成部８３で背景画像と合成され、合成画像データ９６が作成される。そして、この合成画像データ９６がプリントされ、写真プリント１５が得られる。
【００４４】
なお、上記第１〜３の実施形態では、撮像画像データ及び人物座標情報をメモリカード１３に記憶させるためのデジタル撮像装置としては、デジタルカメラを使用しているが、本発明はこれに限るものではなく、画像原稿を読み取るスキャナや、露光済みの写真フイルムの画像を読み取るフイルムスキャナでもよい。また、プリンタとしてもサーマルプリンタに限らず、インクジェットプリンタや、レーザープリンタなどでもよい。
【００４５】
また、上記例では、メモリカード１３にスマートメディア（登録商標）を用いた例について説明しているが、本発明はこれに限らず、コンパクトフラッシュ（登録商標）など他の記憶メディアを用いてもよい。
【００４６】
【発明の効果】
以上説明したように、本発明のプリントシステムによれば、デジタル撮像装置には、画像データから人物の顔を含む人物画像データを抽出する人物画像抽出手段と、この人物画像抽出手段が抽出した人物画像データに基づいて画像全体に対する人物画像の位置及び大きさを示す人物座標情報を検出する人物座標検出手段と、人物座標情報を含む各種情報を電子記憶媒体に出力する情報出力部とが設けられており、プリンタには、電子記憶媒体から人物座標情報を画像データとともに読み出し、人物座標情報に基づいて、画像範囲に対する所定の位置及び大きさとなるように人物画像データを拡大縮小及び変位して補正した補正画像データをプリント出力しているので、人物画像データを抽出して所定の位置及び大きさでプリント出力することが容易であり、かつ撮像やプリントを行う様々な電子機器に対応することが可能である。
【００４７】
また、請求項２記載のプリントシステムでは、もとの画像とは異なる背景画像又はテンプレートに対する所定の位置及び大きさに人物画像データを補正し、前記背景画像又はテンプレートと合成しているので、様々な背景画像やテンプレートとの合成画像のプリント出力を容易に行うことができる。
【００４８】
請求項３記載の画像処理方法では、被写体、又は画像原稿が撮像された画像データから人物の顔を含む人物画像データを抽出し、この人物画像データに基づいて画像全体に対する人物画像の位置及び大きさを示す人物座標情報を検出して、前記画像データとともに、前記人物座標情報を電子記憶媒体に記憶させた後、前記画像データを読み出すとき、前記人物座標情報に基づいて前記人物画像データの位置及び大きさを画像全体に対する所定の位置及び大きさに補正した補正画像データを作成しているので、人物画像を所定の位置及び大きさでプリント出力することが容易であり、かつ撮像やプリントを行う様々な電子機器に対応することが可能である。
【図面の簡単な説明】
【図１】プリントシステムの外観斜視図である。
【図２】デジタルカメラの電気的構成を示すブロック図である。
【図３】デジタルカメラによって撮像された撮像画像データ（Ａ）及びこの撮像画像データが補正された補正画像データ（Ｂ）を示す説明図である。
【図４】撮像画像ファイルのデータ構造を示す説明図である。
【図５】写真プリンタの電気的構成を示すブロック図である。
【図６】プリント処理を行うときのシーケンスを示すフローチャートである。
【図７】第２実施形態の写真プリンタの電気的構成を示すブロック図である。
【図８】プリント処理を行うときのシーケンスを示すフローチャートである。
【図９】デジタルカメラによって撮像された撮像画像データと、この撮像画像データが補正され、テンプレート画像と合成された合成画像データを示す説明図である。
【図１０】プリント処理を行うときのシーケンスを示すフローチャートである。
【図１１】デジタルカメラによって撮像された撮像画像データと、この撮像画像データが補正され、別の背景画像と合成された合成画像データを示す説明図である。
【符号の説明】
１０  プリントシステム
１１  デジタルカメラ
１２，８１  写真プリンタ
１３  メモリカード
【図１】
2004207987.tif 000003
【図２】
2004207987.tif 000004
【図３】
2004207987.tif 000005
【図４】
2004207987.tif 000006
【図５】
2004207987.tif 000007
【図６】
2004207987.tif 000008
【図７】
2004207987.tif 000009
【図８】
2004207987.tif 000010
【図９】
2004207987.tif 000011
【図１０】
2004207987.tif 000012
【図１１】
2004207987.tif 000013